(57)【特許請求の範囲】
【請求項１】
インキ組成物を内蔵した記録媒体表記面用マーキングペンと、インキ消去液を収容したインキ消去具とからなり、前記インキ組成物は、着色剤と、炭素数４以下のアルコール及び／又は炭素数６以下のグリコールエーテル系溶剤と、樹脂と、界面活性剤とから少なくともなり、前記インキ消去液は、炭素数４以下のアルコール及び／又は炭素数６以下のグリコールエーテル系溶剤と、樹脂と、前記インキ組成物に含まれる樹脂と相溶し、且つ、インキ組成物及びインキ消去液に含まれる樹脂の可塑化能を有する非イオン系界面活性剤としてポリエーテル変性シリコーンと、前記インキ消去液に含まれる溶剤よりも蒸気圧が低く、且つ、前記インキ組成物及びインキ消去液に含まれる樹脂と相溶しない液状化合物とから少なくともなる記録媒体表記面用筆記、消去具セット。
【請求項２】
前記インキ消去液に含まれる樹脂がポリビニルブチラール樹脂である請求項１記載の記録媒体表記面用筆記、消去具セット。
【請求項３】
前記インキ消去液を収容したインキ消去具が軸筒内にインキ消去液を収容し、チップからインキ消去液を吐出させる塗布具形態のインキ消去具であり、前記チップがポリエステル、ナイロン、ポリウレタン、ポリエチレン、ポリプロピレンから選ばれる樹脂製チップである請求項１又は２記載の記録媒体表記面用筆記、消去具セット。
【請求項４】
前記インキ消去具が軸筒の両端に太さの異なるチップを備えた両頭式インキ消去具である請求項３記載の記録媒体表記面用筆記、消去具セット。
【請求項５】
前記マーキングペンのチップが、ポリエステル、ナイロン、ポリウレタン、ポリエチレン、ポリプロピレンから選ばれる樹脂製チップである請求項１記載の記録媒体表記面用筆記、消去具セット。
【請求項６】
前記マーキングペンが軸筒の両端に太さの異なるチップを備えた両頭式マーキングペンである請求項５記載の記録媒体表記面用筆記、消去具セット。
【請求項７】
色調の異なるインキ組成物をそれぞれ内蔵した複数本の記録媒体表記面用マーキングペンと、インキ消去具とからなる請求項１乃至６のいずれか一項に記載の記録媒体表記面用筆記、消去具セット。
【請求項８】
請求項１乃至７のいずれかに記載の記録媒体表記面用マーキングペン及びインキ消去具と、光ディスクから選ばれる記録媒体とからなる記録媒体表記面用筆記、消去具セット。
【発明の詳細な説明】
【技術分野】
【０００１】
本発明は、記録媒体表記面用筆記、消去具セットに関する。更に詳細には、ＤＶＤ等の記録媒体の表記面への筆記と消去に用いられる記録媒体表記面用筆記、消去具セットに関する。
【背景技術】
【０００２】
近年、パソコン等に用いられる記録媒体として、ＣＤ、ＤＶＤ、ＢＤ等の光ディスクが広く利用されている。これらの記録媒体には表記面が設けられており、前記表記面にタイトルや分類等の記録内容を記載するための油性インキ組成物を内蔵したマーキングペンが開示されている（例えば、特許文献１乃至３参照）。
前記マーキングペンを用いて記録媒体表面に形成される筆跡は、はじきがみられず、明瞭な筆跡であるものの、筆跡を消去することはできないため、書き間違えた場合や記録内容の変更に伴って記載事項を変更したい場合は、空白の箇所に新たに筆記する必要がある。そのため、変更前の筆跡は塗りつぶすことによって見栄えを損なったり、そのままの状態で放置すると、記録内容が正確に把握できずに混乱する虞がある。
【先行技術文献】
【特許文献】
【０００３】
【特許文献１】特開２００４−３５８１７号公報
【特許文献２】特開２００４−３５８２３号公報
【特許文献３】特開２００６−１２４５６２号公報
【発明の概要】
【発明が解決しようとする課題】
【０００４】
本発明は前記問題を解決しようとするものであって、記録媒体の表記面にはじきのない明瞭な筆跡を形成できると共に、書き間違えた場合や記録内容の変更に伴って記載事項を変更したい場合は、筆跡を消去して再び同じ箇所に筆記することが可能な記録媒体表記面用筆記、消去具セットを提供するものである。
【課題を解決するための手段】
【０００５】
本発明は、インキ組成物を内蔵した記録媒体表記面用マーキングペンと、インキ消去液を収容したインキ消去具とからなり、前記インキ組成物は、着色剤と、炭素数４以下のアルコール及び／又は炭素数６以下のグリコールエーテル系溶剤と、樹脂と、界面活性剤とから少なくともなり、前記インキ消去液は、炭素数４以下のアルコール及び／又は炭素数６以下のグリコールエーテル系溶剤と、樹脂と、前記インキ組成物に含まれる樹脂と相溶し、且つ、インキ組成物及びインキ消去液に含まれる樹脂の可塑化能を有する非イオン系界面活性剤としてポリエーテル変性シリコーンと、前記インキ消去液に含まれる溶剤よりも蒸気圧が低く、且つ、前記インキ組成物及びインキ消去液に含まれる樹脂と相溶しない液状化合物とから少なくともなる記録媒体表記面用筆記、消去具セットを要件とする。
更には、前記インキ消去液に含まれる樹脂がポリビニルブチラール樹脂であること、前記インキ消去液を収容したインキ消去具が軸筒内にインキ消去液を収容し、チップからインキ消去液を吐出させる塗布具形態のインキ消去具であり、前記チップがポリエステル、ナイロン、ポリウレタン、ポリエチレン、ポリプロピレンから選ばれる樹脂製チップであること、前記インキ消去具が軸筒の両端に太さの異なるチップを備えた両頭式インキ消去具であること、前記マーキングペンのチップが、ポリエステル、ナイロン、ポリウレタン、ポリエチレン、ポリプロピレンから選ばれる樹脂製チップであること、前記マーキングペンが軸筒の両端に太さの異なるチップを備えた両頭式マーキングペンであること、色調の異なるインキ組成物をそれぞれ内蔵した複数本の記録媒体表記面用マーキングペンと、インキ消去具とからなること等を要件とする。
更には、前記記録媒体表記面用マーキングペン及びインキ消去具と、光ディスクから選ばれる記録媒体とからなる記録媒体表記面用筆記、消去具セットを要件とする。
【発明の効果】
【０００６】
本発明は、ＤＶＤ等の記録媒体の表記面にはじきのない明瞭な筆跡を形成でき、しかも、書き間違えた場合や記録内容の変更に伴って記載事項を変更したい場合は、筆跡を消去して再び同じ箇所に筆記することが可能なため、記録媒体の見栄えを損なったり、記録内容が正確に把握できなくなることのない実用性に富む記録媒体表記面用筆記、消去具セットを提供できる。
【発明を実施するための形態】
【０００７】
前記記録媒体表記面用マーキングペンは、着色剤と、炭素数４以下のアルコール及び／又は炭素数６以下のグリコール系溶剤と、樹脂と、界面活性剤とから少なくともなるインキ組成物を内蔵してなる。
【０００８】
前記着色剤としては、染料又は顔料が用いられる。
前記染料としては、例えば、カラーインデックスにおいてソルベント染料として分類される有機溶剤可溶性染料が挙げられる。
前記ソルベント染料の具体例としては、バリファーストブラック３８０６（Ｃ．Ｉ．ソルベントブラック２９）、同３８０７（Ｃ．Ｉ．ソルベントブラック２９の染料のトリメチルベンジルアンモニウム塩）、スピリットブラックＳＢ（Ｃ．Ｉ．ソルベントブラック５）、スピロンブラックＧＭＨ（Ｃ．Ｉ．ソルベントブラック４３）、バリファーストレッド１３０８（Ｃ．Ｉ．ベーシックレッド１の染料とＣ．Ｉ．アシッドイエロー２３の染料の造塩体）、バリファーストイエローＡＵＭ（Ｃ．Ｉ．ベーシックイエロー２の染料とＣ．Ｉ．アシッドイエロー４２の染料の造塩体）、スピロンイエローＣ２ＧＨ（Ｃ．Ｉ．ベーシックイエロー２の染料の有機酸塩）、スピロンバイオレットＣＲＨ（Ｃ．Ｉ．ソルベントバイオレット８−１）、バリファーストバイオレット１７０１（Ｃ．Ｉ．ベーシックバイオレット１とＣ．Ｉ．アシッドイエロー４２の染料の造塩体）、スピロンレッドＣＧＨ（Ｃ．Ｉ．ベーシックレッド１の染料の有機酸塩）、スピロンピンクＢＨ（Ｃ．Ｉ．ソルベントレッド８２）、ニグロシンベースＥＸ（Ｃ．Ｉ．ソルベントブラック７）、オイルブルー６１３（Ｃ．Ｉ．ソルベントブルー５）、ネオザポンブルー８０８（Ｃ．Ｉ．ソルベントブルー７０）等が挙げられる。
前記顔料としては、カーボンブラック、群青、二酸化チタン顔料等の無機顔料、アゾ系顔料、フタロシアニン系顔料、インジゴ顔料、チオインジゴ顔料、スレン顔料、キナクリドン系顔料、アントラキノン系顔料、スレン系顔料、ジケトピロロピロール系顔料、ジオキサジン系顔料、ペリレン系顔料、ペリノン系顔料、イソインドリノン系顔料等の有機顔料、蛍光顔料、アルミニウム粉やアルミニウム粉表面を着色樹脂で処理した金属光沢顔料、芯物質として天然雲母、合成雲母、ガラス片、アルミナ、透明性フィルム片の表面を酸化チタン等の金属酸化物で被覆した透明性金属光沢顔料等が挙げられる。
前記着色剤は一種又は二種以上を併用してもよく、インキ組成物中３〜４０重量％の範囲で用いられる。
なお、前記着色剤としては、インキ中での安定性が高い油溶性染料が好適に用いられる。
【０００９】
前記溶剤のうち、炭素数４以下のアルコールとしては、メチルアルコール、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコールが挙げられる。
炭素数６以下のグリコールエーテル系溶剤としては、エチレングリコールモノメチルエーテル、エチレングリコールモノエチルエーテル、エチレングリコールモノイソプロピルエーテル、エチレングリコールモノブチルエーテル、プロピレングリコールモノメチルエーテル、プロピレングリコールモノエチルエーテル、プロピレングリコールモノプロピルエーテル、プロピレングリコールモノメチルエーテルアセテート、ジエチレングリコールモノメチルエーテル、ジエチレングリコールモノエチルエーテルが挙げられる。
更に、筆記描線の白化を抑える目的で、フェニルグリコール、γ−ブチロラクトン、ベンジルアルコール、ジエチレングリコールモノブチルエーテル等の低蒸気圧成分を添加することもできる。
【００１０】
前記樹脂としては、有機溶剤に対して可溶なものであれば特に限定されることなく適用でき、筆跡の滲み抑制、定着性向上、堅牢性等を付与する目的で添加される。
具体的には、ケトン樹脂、アミド樹脂、アルキッド樹脂、ロジン変性樹脂、ロジン変性フェノール樹脂、フェノール樹脂、キシレン樹脂、ポリビニルブチラール樹脂、テルペン系樹脂、クマロン−インデン樹脂、ポリビニルピロリドン、ポリエチレンオキサイド、ポリメタクリル酸エステル、ケトン−ホルムアルデヒド樹脂、α−及びβ−ピネン・フェノール重縮合樹脂、ポリビニルブチラール樹脂、アクリル樹脂、ポリアクリル酸ポリメタクリル酸共重合物等が挙げられる。
これらの樹脂は一種又は二種以上を混合して用いてもよく、インキ組成中０．５〜４０重量％、好ましくは１〜３５重量％の範囲で用いられる。０．５重量％未満では筆跡の滲み抑制、定着性向上、堅牢性付与等の充分な効果を発揮できず、４０重量％を越えて添加すると、樹脂の溶剤への溶解性が低下し、インキの流動性が低下する。
【００１１】
前記インキ組成物中には、界面活性剤が添加され、インキの表面張力を下げ、記録媒体の表記面に対するインキの濡れ性を向上させ、筆記した際に生じる描線のはじきを防止できる。
前記界面活性剤としては、シリコーン系界面活性剤又はフッ素系界面活性剤が用いられる。
前記シリコーン系界面活性剤としては、例えば、ポリエーテル変性シリコーン、アルキル変性シリコーン、アミノ変性シリコーン、片末端変性シリコーンが挙げられ、一種又は二種以上を併用して用いることもできる。
前記ポリエーテル変性シリコーンとしては、日本ユニカー（株）製、商品名：Ｌ−７２０、ＦＺ−２１０４、ＦＺ−２１９１、信越シリコーン（株）製、商品名：Ｐ−３１６、ＫＰ−３１６Ａ、東芝シリコーン（株）製、ＴＳＦ４４４０を例示できる。
前記ポリエーテル変性シリコーンのうち、側鎖ポリエーテル変性シリコーンは、ポリシロキサンの側鎖の一部に有機基を導入したものであり、プラスチックからなる記録媒体表面に筆記した際、にじみのない明瞭な筆跡を形成することができるため、好適に用いられる。
特に、前記ポリエーテル基は、ポリオキシエチレン鎖単独で構成される、又は、少なくともポリオキシエチレンとポリオキシプロピレンとにより構成され、前記ポリオキシプロピレンの含有量が重量比で５０重量％未満（ポリエーテル中）であることが好ましい。これは、ポリオキシエチレンの含有量が多くなるにつれて、アルコール系溶剤やグリコールエーテル系溶剤等の極性溶剤に対する溶解性が向上することから、溶解安定性、経時安定性が有利になるためである。
また、前記側鎖ポリエーテル変性シリコーンは、ＨＬＢが１０以下、好ましくは２〜９の範囲のものが用いられ、更に好適には、少量の添加で高い効果が得られることから３〜６の範囲のものが用いられる。
ＨＬＢが１０より大きいと非吸収面に筆記した際にインキはじきが生じ易くなる。
前記側鎖ポリエーテル変性シリコーンとしては、東レ・ダウコーニング（株）製、商品名：ＳＨ３７７５Ｍ、東芝シリコーン（株）製、商品名：ＴＳＦ４４４５を例示できる。
前記アルキル変性シリコーンとしては、東芝シリコーン社製、商品名：ＴＳＦ４４２１、ＴＳＦ４４２２を例示できる。
前記アミノ変性シリコーンとしては、東芝シリコーン社製、商品名：ＴＳＦ４７００、ＴＳＦ４７０１、信越シリコーン（株）製、商品名：ＫＰ−３５６、ＫＰ−３５７を例示できる。
【００１２】
前記フッ素系界面活性剤としては、ノニオン性フッ素系界面活性剤が好適に用いられ、パーフルオロアルキルエチレンオキシド付加物、フッ素化アルキルエステル、パーフルオロアルキルポリオキシエチレンエタノール等が例示できる。特に、パーフルオロアルキルエチレンオキシド付加物、フッ素化アルキルエステル、パーフルオロアルキルポリオキシエチレンエタノール等のエチレンオキシド付加物は表記面に対する効果が高いため好適に用いられる。
更に、前記ノニオン性フッ素系界面活性剤として、フルオロ基を導入したアクリルオリゴマーも好適に用いられる。前記アクリルオリゴマーとしては、フルオロ基・親油性基含有オリゴマーであればどのようなものでも適用でき、ポリウレタンアクリレート、ポリエステルアクリレート、ポリエーテルアクリレート、ポリエーテルアクリレート、アルキドアクリレート、シリコンアクリレート等を骨格とするものが適用できる。特に、パーフルオロアルキル基・親油性基含有オリゴマーが好適に用いられる。
前記シリコーン系界面活性剤又はフッ素系界面活性剤は、インキ全量に対して、０．０１〜１０重量％、好ましくは０．１〜５重量％の範囲で添加することができる。０．０１重量％未満では、インキ組成物の表面張力が必要な物性値に達せず、記録媒体表記面に対する濡れ性が不充分となり筆記描線のはじきが生じる。また、１０重量％を超えて添加すると、いわゆる海島現象が発生し、筆記描線にムラが生じて不鮮明な描線となったり、記録媒体表記面に対するインキ付着性が不充分となる。
【００１３】
更に、必要に応じて紫外線吸収剤、防錆剤、消泡剤、耐ドライアップ付与剤等の各種添加剤を使用できる。
紫外線吸収剤としては、２−（２′−ヒドロキシ−３′−ｔ−ブチル５′−５′−メチルフェニル）−５−クロロベンゾトリアゾール、２−（２′−ヒドロキシ−５′−メチルフェニル）ベンゾトリアゾール、ｐ−安息香酸−２−ヒドロキシベンゾフェノン等が例示できる。
防錆剤としては、ベンゾトリアゾール、トリルトリアゾール、ジシクロヘキシルアンモニウムナイトライト、ジイソプロピルアンモニウムナイトライト、サポニン等が例示できる。
潤滑剤としては、オレイン酸等の高級脂肪酸、長鎖アルキル基を有するノニオン系界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル等が例示できる。
消泡剤としては、ジメチルポリシロキサン等が使用できる。
耐ドライアップ性付与剤としては、ポリオキシエチレン、ソルビタン脂肪酸エステル、ポリオキシエチレンソルビット脂肪酸エステル、ポリエチレングリコール脂肪酸エステル、ポリグリセリン脂肪酸エステル、脂肪酸エステル、パラフィンワックス等が例示できる。
前記添加剤はいわゆる慣用的添加剤と呼ばれるもので、公知の化合物から適宜必要に応じて使用することができる。
【００１４】
前記インキ組成物は、チップを筆記先端部に装着したマーキングペンに充填して実用に供される。
前記マーキングペン自体の構造、形状は特に限定されるものではなく、例えば、繊維チップ、フェルトチップ、プラスチックチップを筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造等のマーキングペンが挙げられる。更に、前記各構造を有するマーキングペンを軸筒の前後両側に備えた両頭式筆記具や、一本のインキ吸蔵体の両端に筆記先端部を設けた両頭式筆記具とすることもできる。なお、前記両頭式筆記具は、太さの異なるチップを備えることにより記録媒体表記面に太さの異なる文字を形成できるため、記載した内容を識別性を高めることができる。
【００１５】
前記チップの形状及び筆記部分の大きさは特に限定されるものではないが、記録媒体の表記面に適用することから、細かい筆跡を形成できるように、チップには、棒状体の先端をテーパー状や曲面状等の先細状に形成した先細部を設けたものが好適に用いられる。また、前記先細部の基部（付け根部分）の外径を０．０５〜２．５ｍｍの範囲、好ましくは０．０５〜２ｍｍの範囲に設定したものが好適に用いられる。
２．５ｍｍ以下のものを用いた場合、本発明のインキが筆跡の滲みやはじきを抑制できるため、細かい文字や像を形成してもインキ滲みにより潰れることなく形成できる。
また、ペン先の強度や製造の容易性等から、筆記先端部分の直径は０．０５ｍｍ以上が好ましい。
前記チップの材質としては、ポリエステル、ナイロン、ポリウレタン、ポリエチレン、ポリプロピレンから選ばれる樹脂製チップが好適に用いられ、筆記時のチップの接触によって記録媒体表記面にキズが付くことを防止できる。
前記チップとして具体的には、ポリエステル繊維束チップ、ナイロン繊維束チップ、ポリエチレ繊維束チップ、ポリプロピレン繊維束チップ、ポリエチレン粒子の相互の接点が融着したチップ、ポリプロピレン粒子の相互の接点が融着したチップ、連続気孔を有するポリウレタンからなるポーラスチップが好適に用いられ、筆記時のチップの接触によって記録媒体表記面にキズが付くことを防止できる。
【００１６】
前記記録媒体表記面用マーキングペンにより、記録媒体としてＣＤ−ＲＯＭ、ＣＤ−Ｒ、ＣＤ＋Ｒ、ＣＤ＋ＲＷ、ＣＤ−ＲＷ、ＤＶＤ−ＲＯＭ、ＤＶＤ−Ｒ、ＤＶＤ＋Ｒ、ＤＶＤ＋ＲＷ、ＤＶＤ−ＲＷ、ＤＶＤ−ＲＡＭ、ＢＤ−ＲＯＭ、ＢＤ−Ｒ、ＢＤ−ＲＥ等の光ディスクや、種々の記録媒体、例えば、ＭＯやＭＤ等の光磁気ディスク、ＳＤカード、ＣＦカード、スマートメディア、メモリースティック、ｘＤピクチャーカード、ＵＳＢメモリー等のフラッシュメモリ、フレキシブルディスク等の磁気ディスクの表記面に筆跡を形成できる。
【００１７】
一方、記録媒体表記面用マーキングペンにより記録媒体に形成した筆跡を消去する消去具は、炭素数４以下のアルコール及び／又はグリコールエーテル系溶剤と、樹脂と、前記インキ組成物に含まれる樹脂と相溶し、且つ、インキ組成物及びインキ消去液に含まれる樹脂の可塑化能を有する非イオン系界面活性剤としてポリエーテル変性シリコーンと、前記インキ消去液に含まれる溶剤よりも蒸気圧が低く、且つ、前記インキ組成物及びインキ消去液に含まれる樹脂と相溶しない液状化合物とからなるインキ消去液を収容してなる。
【００１８】
前記有機溶剤は、炭素数４以下のアルコール又は炭素数６以下のグリコールエーテルから選ばれる有機溶剤であって、メチルアルコール、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール、エチレングリコールモノメチルエーテル、エチレングリコールモノエチルエーテル、エチレングリコールモノイソプロピルエーテル、エチレングリコールモノブチルエーテル、プロピレングリコールモノメチルエーテル、プロピレングリコールモノエチルエーテル、プロピレングリコールモノプロピルエーテル、プロピレングリコールモノメチルエーテルアセテート、ジエチレングリコールモノメチルエーテル、ジエチレングリコールモノエチルエーテルが挙げられる。
【００１９】
前記樹脂としては、ケトン樹脂、ケトン−ホルムアルデヒド樹脂、アミド樹脂、アルキッド樹脂、ロジン変性樹脂、ロジン変性フェノール樹脂、フェノール樹脂、キシレン樹脂、ポリビニルピロリドン、α−及びβ−ピネン・フェノール重縮合樹脂、ポリビニルブチラール樹脂、アクリル樹脂、スチレンマレイン酸共重合物、セルロース誘導体、ポリビニルピロリドン、ポリビニルアルコール、デキストリン等を例示することができ、特にポリビニルブチラール樹脂が好適に用いられる。
前記ポリビニルブチラール樹脂としては、ヘキスト社製、商品名：Ｍｏｗｉｔａｌ  Ｂ２０Ｈ、Ｂ３０Ｂ、Ｂ３０Ｈ、Ｂ６０Ｔ、Ｂ６０Ｈ、Ｂ６０ＨＨ、Ｂ７０Ｈ、積水化学工業（株）製、商品名：エスレックＢ、ＢＨ−３、ＢＬ−１、ＢＬ−２、ＢＬ−Ｌ、ＢＬ−Ｓ、ＢＭ−１、ＢＭ−２、ＢＭ−５、ＢＭ−Ｓ、電気化学工業（株）製、商品名：デンカブチラール＃２０００−Ｌ、＃３０００−１、＃３０００−２、＃３０００−３、＃３０００−４、＃３０００−Ｋ、＃４０００−１、＃５０００−Ａ、＃６０００−Ｃ等が挙げられる。
前記樹脂は消去液全量中０．５〜１０重量％、好ましくは１〜５重量％の範囲で配合される。
【００２０】
前記樹脂と相溶し、且つ、可塑化能を有する界面活性剤について以下に例示する。
前記界面活性剤としては非イオン系界面活性剤が用いられる。
【００２１】
前記非イオン系界面活性剤としては、ポリエーテル変性シリコーン等が用いられる。
そのうち、ポリエーテル変性シリコーンとして、東レダウコーニング（株）製、商品名：ＦＺ−２２０８、ＦＺ−２２２２、ＦＺ−２２３１、ＳＨ３７７５Ｍ、ＳＨ３７７２Ｍ、モメンティブ・パフォーマンス・マテリアルズ・シャパン社製、商品名：ＴＳＦ４４４６、ＴＳＦ４４４５、ＳＩＬＷＥＴ  Ｌ８５００、Ｌ８５００、Ｌ８６４０、Ｌ８６２０等が挙げられる。
前記界面活性剤は、消去液全量中０．５〜３０重量％、好ましくは１〜１０重量％の範囲で配合される。
【００２２】
前記溶剤よりも蒸気圧が低く、且つ、前記樹脂と相溶しない液状化合物としては、高級脂肪酸エステル、炭化水素油、グリセリン及びその重合体（デカグリセリン等）、プロピレングリコール及びその重合体（１，３プロパンジオール、ジプロピレングリコール等）、ポリエチレングリコール及びそのアルキルエーテル（テトラエチレングリコールジメチルエーテル等）、アルキル変性シリコーン油等が例示できる。
前記高級脂肪酸エステルとしては、炭素数が６以上の高級脂肪酸と炭素数が２以上の一価アルコールとの高級脂肪酸アルキルエステルが好ましく、ミリスチン酸イソプロピル、パルミチン酸オクチル、ステアリン酸ブチル、ステアリン酸イソオクチル、ステアリン酸イソブチル、オレイン酸イソブチル等が挙げられる。
また、脂肪酸エステルとして炭素数が６以上の高級脂肪酸と炭素数が２以上の多価アルコールとの高級多価アルコールエステルであってもよい。
前記炭化水素油は、パラフィン系炭化水素やオレフィン系炭化水素が好ましく、流動パラフィンが挙げられる。
前記液状化合物は、消去液全量中１〜５０重量％、好ましくは２〜３０重量％の範囲で配合される。
【００２３】
前記インキ消去液を収容するインキ消去具としては、収容した消去液を開口部から直接筆跡に付着させる簡易構造の消去具、開口部に刷毛等の吸液体を設けたキャップを有し、キャップを嵌めた状態で前記吸液体が容器内の消去液を含浸する構成となし、筆跡上に吸液体を接触させて消去液を塗布する構造の消去具を例示できる。
また、塗布具形態の消去具であってもよく、塗布部に繊維チップ、フェルトチップ、プラスチックチップ、筆穂等の塗布部を装着し、軸筒内部に収容した繊維束からなる吸蔵体に消去液を含浸させ、塗布部に消去液を供給する構造、軸筒内部に直接消去液を収容し、櫛溝状の液体流量調節部材や繊維束からなる液体流量調節部材を介在させて塗布部に消去液を供給する構造、軸筒内部に直接消去液を収容して、弁機構により塗布部に消去液を供給する構造の塗布具を例示できる。
更に、一本のインキ吸蔵体の両端に筆記先端部を設けた両頭式筆記具とすることもできる。なお、前記両頭式筆記具は、太さの異なるチップを備えることにより記録媒体表記面に記載した文字の大きさや面積によって使い分けることができ、消去性を向上させることができる。
前記チップの材質としては、記録媒体表記面用マーキングペンと同様のポリエステル、ナイロン、ポリウレタン、ポリエチレン、ポリプロピレンから選ばれる樹脂製チップが好適に用いられ、消去時のチップの接触によって記録媒体表記面にキズが付くことを防止できる。
前記消去液を収容したインキ消去具を用いて、記録媒体に形成した筆跡上に消去液を塗布した直後、或いは、塗布して暫くした後でも拭き取ることによって筆跡を消去できると共に、拭き取る時にインキ中の着色剤によって筆跡を形成していない空白部分を汚染することがない。
【００２４】
本発明は、前記記録媒体表記面用マーキングペンと、前記インキ消去具を組み合わせて記録媒体表記面用筆記、消去具セットが得られる。
前記記録媒体表記面用マーキングペンを用いて各種記録媒体表示面、特に光ディスクの表記面に記録した内容のタイトルや分類等を表記する。
記載する内容を書き間違えた場合や記録内容の変更に伴って記載事項を変更したい場合は、前記インキ消去具を用いて、筆跡上に消去液を塗布し、その後、拭き取ることにより筆跡を除去し、再び記録媒体表記面用マーキングペンを用いて筆跡（タイトルや分類等）を形成する。
前記記録媒体表記面用筆記、消去具セットは、記録媒体表記面用マーキングペンとインキ消去具を各一本組み合わせる他、色調や太さの異なる複数本の記録媒体表記面用マーキングペンと、インキ消去具を組み合わせることにより、記録媒体表記面にカラフル文字を記載したり、太さの異なる文字を記載できるため、応用性を付与できる。
更に、前記記録媒体表記面用マーキングペン及びインキ消去具と、光ディスクから選ばれる記録媒体を組み合わせて利便性に富む記録媒体表記面用筆記、消去具セットを得ることもできる。
【実施例】
【００２５】
以下に実施例を説明するが、本発明はこれらの実施例に限定されるものではない。
以下の表にインキ組成物の配合を示す。尚、表中の数値は重量部を示す。
【００２６】
【表１】
0005452153.tif 000002
【００２７】
表中の原料の内容を注番号に沿って説明する。
（１）オリエント化学工業（株）製、商品名：バリファストブラック３８１０
（２）オリエント化学工業（株）製、商品名：オイルブルー６１３
（３）デグザ社（株）製、商品名：シンセチックレジンＳＫ
（４）東レ・ダウコーニング（株）製、商品名：ＳＨ３７７５Ｍ、側鎖ポリエーテル変性シリコーン、ＨＬＢ＝５、ＰＯＥ／ＰＯＰ＝１００／０
（５）ダイキン工業（株）製、商品名：ユニダインＤＳ−４０３
【００２８】
記録媒体表記面用マーキングペンの作製
ポリエステルスライバーを合成樹脂フィルムで被覆したインキ吸蔵体内に、インキ組成物１を含浸させて軸筒内に収容し、先端部にインキ吸蔵体と連通するように２種類の先細状チップ（ポリエステル繊維束を樹脂で結着した基部外径０．８ｍｍのチップ、ポリエステル繊維束を樹脂で結着した基部外径２ｍｍのチップ）を設けて両頭式の記録媒体表記面用マーキングペンＡを得た。
前記記録媒体表記面用マーキングペンには着脱自在のキャップを備えてなる。
インキ組成物２を用いて、ポリエステル繊維束からなるチップを用いた以外は前記と同様の構成にて記録媒体表記面用マーキングペンＢを得た。
【００２９】
以下の表にインキ消去液の配合を示す。尚、表中の数値は重量部を示す。
なお、インキ消去液１乃至５は実施例で用いられる消去液であり、６乃至９は比較例で用いられる消去液である。
【００３０】
【表２】
0005452153.tif 000003
【００３１】
表中の原料の内容について注番号に沿って説明する。
（１）東レダウコーニング（株）製、商品名：ＳＨ３７７５Ｍ
（２）東レダウコーニング（株）製、商品名：ＦＺ−２２２２
（３）積水化学工業（株）製、商品名：エスレックＢＬ−１
【００３２】
インキ消去具の作製
ポリエステルスライバーを合成樹脂フィルムで被覆したインキ吸蔵体内に、インキ消去液１を含浸させて軸筒内に収容し、先端部にインキ吸蔵体と連通するように２種類の先細状チップ（ナイロン繊維束を樹脂で結着した基部外径０．８ｍｍのチップ、ナイロン繊維束を樹脂で結着した基部外径２ｍｍのチップ）を設けて両頭式のインキ消去具１を得た。
前記インキ消去具には着脱自在のキャップを備えてなる。
インキ消去液２を用いた以外は前記と同様の構成にてインキ消去具２を得た。
インキ消去液３を用いて、ポリエステル繊維束からなるチップを用いた以外は前記と同様の構成にてインキ消去具３を得た。
インキ消去液４を用いて、アクリル繊維束からなるチップを用いた以外は前記と同様の構成にてインキ消去具４を得た。
インキ消去液５を用いた以外は前記と同様の構成にてインキ消去具５を得た。
インキ消去液６を用いて、ポリエステル繊維束からなるチップを用いた以外は前記と同様の構成にてインキ消去具６を得た。
インキ消去液７を用いて、ポリエチレン粒子とポリプロピレン粒子の接点が融着したチップを用いた以外は前記と同様の構成にてインキ消去具７を得た。
【００３３】
消去試験〔１〕
前記記録媒体表記面用マーキングペンＡ、Ｂを用いてＤＶＤ−ＲＷの表記面（ポリカーボネート樹脂）、ＵＳＢフラッシュメモリの表記面（ＡＢＳ樹脂）、ＳＤカードの表記面上に文字（筆跡）を形成し、５分後にインキ消去具１乃至７を用いて表記面上に形成した文字上にインキ消去液塗布し、インキ消去液が乾燥した後に乾布を用いて３回擦過して筆跡箇所の状態を目視により観察した。
消去試験〔２〕
前記記録媒体表記面用マーキングペンＡ、Ｂを用いてポリカーボネート樹脂からなるＤＶＤ−ＲＷの表記面に文字（筆跡）を形成し、５分後にインキ消去具１乃至７を用いて表記面上に形成した文字上にインキ消去液塗布し、インキ消去液が乾燥した後に乾布を用いて３回擦過する試験を１０回繰り返した後、筆跡箇所の状態を目視により観察した。
【００３４】
以下の表に消去試験の結果を示す。
液の配合を示す。尚、表中の数値は重量部を示す。
【００３５】
【表３】
0005452153.tif 000004
【００３６】
なお表中の評価の記号は以下の通りである。
○：文字は完全に消去されている。
△：インキによる薄い汚れが見られる。
▲：表記面上にキズが見られる。
×：文字を消去できない。
××：表記面上にキズが見られる。
×××：文字を消去できない。